(57)【要約】【課題】探索対象物に関する情報をユーザに報知することができる情報処理装置及び電子機器を提供する。【解決手段】情報処理装置は、ユーザに装着可能な電子機器（１０Ａ）からの画像を入力する入力部（３０１）と、前記画像に探索対象物が存在するか否かを検出する検出部（３１４）と、前記探索対象物に関する報知を行なう報知部（３１５）と、を備える。【選択図】図１
2015130631.tif 000002
【特許請求の範囲】
【請求項１】
ユーザに装着可能な電子機器からの画像を入力する入力部と、
前記画像に探索対象物が存在するか否かを検出する検出部と、
前記探索対象物に関する報知を行なう報知部と、を備える情報処理装置。
【請求項２】
前記入力部は、複数の電子機器から画像を入力し、
前記検出部は、前記複数の電子機器から入力した複数の画像から前記探索対象物を検出する請求項１記載の情報処理装置。
【請求項３】
前記探索対象物を決定する決定部を備える請求項１または２記載の情報処理装置。
【請求項４】
前記報知部は、前記ユーザとは異なるユーザに前記探索対象物に関する報知を行なう請求項１から３のいずれか一項に記載の情報処理装置。
【請求項５】
前記報知部は、前記探索対象物に関する位置情報を報知する請求項１から４のいずれか一項に記載の情報処理装置。
【請求項６】
前記報知部は、前記探索対象物に関連し、前記探索対象物とは異なる物品の情報を報知する請求項１から５のいずれか一項に記載の情報処理装置。
【請求項７】
ユーザに装着可能であり、画像を撮像する撮像部と、
前記画像に、探索対象物が存在するか否かを検出する検出部と、
前記検出の結果に応じて、前記探索対象物に関する報知を行なう報知部と、を備える電子機器。
【請求項８】
前記報知部は、前記ユーザとは異なるユーザに前記探索対象物に関する報知を行なう請求項７記載の電子機器。
【請求項９】
前記探索対象物を決定する決定部を備える請求項７または８記載の電子機器。
【請求項１０】
前記探索対象物を登録する登録部を備え、
前記登録部は、前記撮像部の撮像した情報に基づき前記探索対象物を登録する請求項９記載の電子機器。
【請求項１１】
前記探索対象物を登録する登録部を備え、
前記登録部は、前記ユーザが手にした物品を前記探索対象物として登録する請求項９記載の電子機器。
【請求項１２】
前記検出部は、前記決定部が前記探索対象物を決定した後、前記決定された探索対象物が前記画像に存在するか否かの検出を開始し、
前記報知部は、前記探索対象物に関する情報のうち最新の情報を報知する請求項９から１１のいずれか一項に記載の電子機器。
【請求項１３】
前記画像を表示する表示部を備え、
前記報知部は、前記撮像部が現在撮像している画像内に、前記探索対象物が存在する場合に、前記探索対象物の存在を示す情報を前記表示部に表示する請求項７から１２のいずれか一項に記載の電子機器。
【請求項１４】
前記報知部は、前記画像に、前記探索対象物が存在することが検出された場合に、当該画像を表示する請求項７から１２のいずれか一項に記載の電子機器。
【発明の詳細な説明】
【技術分野】
【０００１】
本発明は、情報処理装置及び電子機器に関する。
【背景技術】
【０００２】
従来より、人物の視線を検出可能なメガネをかけた被験者（ユーザ）の視線を推定・追跡するシステムが知られている（例えば、特許文献１参照）。
【先行技術文献】
【特許文献】
【０００３】
【特許文献１】特開２０１３−８１７６２号公報
【発明の概要】
【発明が解決しようとする課題】
【０００４】
しかしながら、上記特許文献１では、ユーザの視線から商品などに対するユーザの注目度を評価するのにとどまり、例えば、ユーザの視界には入っているがユーザが注目していない、あるいは見落としている情報等については何ら考慮されていない。
【０００５】
本発明は上記の課題に鑑みてなされたものであり、探索対象物に関する情報をユーザに報知できる情報処理装置及び電子機器を提供することを目的とする。
【課題を解決するための手段】
【０００６】
本発明の情報処理装置（３０）は、ユーザに装着可能な電子機器（１０Ａ）からの画像を入力する入力部（３０１）と、前記画像に探索対象物が存在するか否かを検出する検出部（３１４）と、前記探索対象物に関する報知を行なう報知部（３１５）と、を備える。
【０００７】
この場合において、入力部は、複数の電子機器（１０Ａ，１０Ｂ）から画像を入力し、前記検出部は、前記複数の電子機器から入力した複数の画像から前記探索対象物を検出することとしてもよい。また、本発明の情報処理装置は、前記探索対象物を決定する決定部（３１３）を備えていてもよい。
【０００８】
また、本発明において、前記報知部は、前記ユーザとは異なるユーザに前記探索対象物に関する報知を行なうこととしてもよいし、前記探索対象物に関する位置情報を報知することとしてもよいし、前記探索対象物に関連し、前記探索対象物とは異なる物品の情報を報知することとしてもよい。
【０００９】
本発明の電子機器（１０Ｃ）は、ユーザに装着可能であり、画像を撮像する撮像部（１０１）と、前記画像に、探索対象物が存在するか否かを検出する検出部（１１４）と、前記検出の結果に応じて、前記探索対象物に関する報知を行なう報知部（１１５）と、を備える。
【００１０】
この場合において、前記報知部は、前記ユーザとは異なるユーザに前記探索対象物に関する報知を行なうこととしてもよい。また、本発明において、電子機器は、前記探索対象物を決定する決定部（１１３）を備えていてもよい。
【００１１】
また、本発明の電子機器は、前記探索対象物を登録する登録部（１１２）を備え、前記登録部は、前記撮像部の撮像した情報に基づき前記探索対象物を登録することとしてもよいし、前記登録部は、前記ユーザが手にした物品を前記探索対象物として登録することとしてもよい。
【００１２】
また、本発明において、前記検出部は、前記決定部が前記探索対象物を決定した後、前記決定された探索対象物が前記画像に存在するか否かの検出を開始し、前記報知部は、前記探索対象物に関する情報のうち最新の情報を報知することとしてもよい。
【００１３】
また、本発明の電子機器は、前記画像を表示する表示部（１０２）を備え、前記報知部は、前記撮像部が現在撮像している画像内に、前記探索対象物が存在する場合に、前記探索対象物の存在を示す情報を前記表示部に表示することとしてもよい。また、本発明において、前記報知部は、前記画像に、前記探索対象物が存在することが検出された場合に、当該画像を表示することとしてもよい。
【００１４】
なお、本発明をわかりやすく説明するために、上記においては一実施形態を表す図面の符号に対応つけて説明したが、本発明は、これに限定されるものではなく、後述の実施形態の構成を適宜改良しても良く、また、少なくとも一部を他の構成物に代替させても良い。更に、その配置について特に限定のない構成要件は、実施形態で開示した配置に限らず、その機能を達成できる位置に配置することができる。
【発明の効果】
【００１５】
本発明の情報処理装置及び電子機器は、探索対象物に関する情報をユーザに報知することができるという効果を奏する。
【図面の簡単な説明】
【００１６】
【図１】第１の実施形態に係る情報処理システムの構成を示すブロック図である。
【図２】装着型機器の一例を示す斜視図である。
【図３】探索対象物情報テーブルの一例を示す図である。
【図４】第１の実施形態に係る情報処理装置の制御部が実行する処理の一例を示すフローチャートである。
【図５】図５（Ａ）〜図５（Ｃ）は、図４の処理を説明するための図である。
【図６】第１の実施形態に係る情報処理装置の制御部が実行する探索対象物情報蓄積処理の一例を示すフローチャートである。
【図７】図７（Ａ）及び図７（Ｂ）は、図６の処理を説明するための図である。
【図８】第１の実施形態に係る情報処理装置の制御部が実行する探索対象物検出処理の一例を示すフローチャートである。
【図９】図８の処理を説明するための図である。
【図１０】第２の実施形態に係る情報処理システムの構成を示すブロック図である。
【図１１】第２の実施形態に係る装着型機器の制御部が実行する探索対象登録処理の一例を示すフローチャートである。
【図１２】第２の実施形態に係る装着型機器の制御部が実行する探索対象物検出処理の一例を示すフローチャートである。
【図１３】探索対象物がテキストである場合を示す図である。
【発明を実施するための形態】
【００１７】
《第１の実施形態》
以下、第１の実施形態について、図１〜図９に基づいて、詳細に説明する。図１には、第１の実施形態に係る情報処理システム５００Ａの構成がブロック図にて示されている。情報処理システム５００Ａは、ユーザが探し物を見つけるのを支援するシステムである。
【００１８】
図１に示すように、情報処理システム５００Ａは、装着型機器１０Ａ，１０Ｂと、情報処理装置３０と、を備える（利用する）。装着型機器１０Ａ，１０Ｂと、情報処理装置３０とは、ネットワーク５０に接続されている。ネットワーク５０は、例えば、公衆無線ＬＡＮ（Local Area Network）、インターネット、携帯電話回線網などを含む。
【００１９】
（装着型機器１０Ａ，１０Ｂ）
装着型機器１０Ａ，１０Ｂは、ユーザが身体（顔）に装着する眼鏡型の端末である。本実施形態では、父親が装着型機器１０Ａを使用し、母親が装着型機器１０Ｂを使用しているものとする。なお、本実施形態において装着型機器１０Ａ，１０Ｂは同一の構成を有するため、以後、特に区別する必要のない限り、装着型機器１０Ａ，１０Ｂを装着型機器１０と記載し説明を行う。
【００２０】
装着型機器１０は、図１に示すように、撮像部１０１と、表示部１０２と、操作部１０３と、マイク１０４と、位置検出部１０５と、スピーカ１０６と、記憶部１０７と、通信部１０８と、制御部１０９と、を備える。なお、図２には、装着型機器１０が斜視図にて示されている。図２に示すように、装着型機器１０は、眼鏡型のフレーム１２０を備えている。なお、図１において図示され、図２において図示されていない装着型機器１０の構成は、フレーム１２０の内部や、フレーム１２０の一部に設けられているものとする。
【００２１】
撮像部１０１は、レンズ、撮像素子、画像処理部などを備え、静止画や動画を撮像するものである。撮像部１０１は、図２に示すようにフレーム１２０の端部近傍（ユーザの右目近傍）に設けられている。このため、ユーザが装着型機器１０を装着した状態では、ユーザが向いている（見ている）方向の画像を撮像することができる。
【００２２】
表示部１０２は、フレーム１２０内部又はフレーム１２０近傍に設けられたプロジェクタと、プロジェクタからの投影像をユーザの目に導くためのプリズムとを有している。表示部１０２は、制御部１０９の制御の下、各種情報を表示する。
【００２３】
操作部１０３は、フレーム１２０に設けられたタッチパッドであり、ユーザの指の動きを検知して、ユーザからの操作を受け付け、受け付けた操作情報を制御部１０９に送信する。なお、撮像部１０１、表示部１０２、操作部１０３などについては、例えば米国公開特許２０１３／００４４０４２号にもその詳細が開示されている。
【００２４】
マイク１０４は、フレーム１２０に設けられ、ユーザが発した音声を収集する。マイク１０４が収集した音声は、不図示の音声認識部により音声認識され、音声認識結果は、制御部１０９に送信される。制御部１０９は、音声認識結果に基づく処理（例えば、コマンドの実行処理など）を実行する。なお、制御部１０９が音声認識を実行してもよい。
【００２５】
位置検出部１０５は、例えば、ＧＰＳ（Global Positioning System）センサを有しており、装着型機器１０の位置を検出し、装着型機器１０の位置情報（緯度、経度）を制御部１０９に出力する。これに代えて、位置情報（緯度、経度）を地図情報や場所情報に紐付けて記憶部１０７に記憶させて、制御部１０９が位置情報（緯度、経度）に基づき、例えば会社、自宅（リビング、寝室）というような場所情報を提供するようにしてもよい。
【００２６】
スピーカ１０６は、例えば、フレーム１２０に設けられ、制御部１０９の制御の下、音声を出力する音声出力装置である。なお、スピーカ１０６としては、イヤホンやヘッドホンのほか、指向性があり、主に装着型機器１０を装着するユーザの耳に向けて音声情報を提供することが可能なスピーカなどを採用することができる。
【００２７】
記憶部１０７は、例えば、フラッシュメモリ等の不揮発性の半導体メモリであり、撮像部１０１が撮像した画像データや、上述したような地図データ、場所データや、表示部１０２に表示する表示データなどを記憶する。
【００２８】
通信部１０８は、ネットワーク５０を介して、情報処理装置３０との間で通信を行う。本第１の実施形態では、通信部１０８は、制御部１０９の制御の下、撮像部１０１が撮像した画像を、位置検出部１０５が検出した位置情報とともに情報処理装置３０に送信したり、情報処理装置３０からユーザが探している物品（以後、探索対象物と記載する）を含む画像を受信したりする。
【００２９】
制御部１０９は、装着型機器１０全体を統括的に制御する。制御部１０９は、ＣＰＵ（Central Processing Unit）、ＲＡＭ（Random Access Memory）、ＲＯＭ（Read Only Memory）等を備える。制御部１０９は、探索対象物をユーザが見つけるために必要な情報を、通信部１０８を介して情報処理装置３０に送信したり、情報処理装置３０から受信したりする。例えば、制御部１０９は、通信部１０８を介して、撮像部１０１が撮像した画像を、位置検出部１０５が検出した位置情報とともに情報処理装置３０に送信する。また、制御部１０９は、操作部１０３やマイク１０４を介してユーザから受け付けた指示に関する情報を情報処理装置３０に送信する。また、制御部１０９は、情報処理装置３０から、探索対象物に関する情報を受信し、表示部１０２に表示したり、スピーカ１０６から音声を出力することにより、探索対象物に関する報知を行う。
【００３０】
（情報処理装置３０）
情報処理装置３０は、例えば、サーバであり、図１に示すように、通信部３０１と、制御部３０２と、記憶部３０３と、を備える。
【００３１】
通信部３０１は、ネットワーク５０を介して、装着型機器１０との間で無線通信または有線通信を行う。本第１の実施形態では、通信部３０１は、ユーザが探索対象物を見つけるのに必要な情報を、装着型機器１０から受信したり、装着型機器１０に送信したりする。例えば、通信部３０１は、装着型機器１０の撮像部１０１が撮像した画像を装着型機器１０から受信し、制御部３０２に出力する。また、通信部３０１は、制御部３０２の制御の下、後述する記憶部３０３に記憶された画像データを装着型機器１０に送信する。
【００３２】
記憶部３０３は、例えば、ハードディスクドライブであり、探索対象物に関連する情報を記憶する。本第１の実施形態において、記憶部３０３は、図３に示す、探索対象物情報テーブルを記憶する。探索対象物情報テーブルは、物品名、登録ユーザ、基準画像、及び履歴画像の項目を備える。探索対象物情報テーブルにデータを登録するには、例えば、ユーザが登録したい物品を装着型機器１０の撮像部１０１により撮像するとともに、撮像した物品の名称を発声する。マイク１０４は当該音声を収集し、不図示の音声認識部により音声認識した物品名と、撮像部１０１が撮像した画像とを制御部１０９が情報処理装置３０に送信すればよい。情報処理装置３０は、受信した物品名を物品名の項目に登録し、撮像部１０１が撮像した画像を基準画像の項目に登録する。これにより、ユーザはハンズフリーで登録操作を行うことができる。これに代えて、探索対象物情報テーブルへのデータの登録は、多機能携帯機器（スマートフォン）や、タブレット型端末の撮像部や、タッチパネルなどのユーザインターフェースを用いるとともに、ネットワーク５０を利用して情報処理装置３０にこの登録情報を送信するようにしてもよい。
【００３３】
なお、情報処理装置３０に画像認識部が設けられている場合には、ユーザによる物品名の入力を省略することができる。この場合、物品名（例えば家の鍵）ではなく物品のカテゴリ（例えば鍵）を探索対象物情報テーブルに登録してもよい。この場合、ユーザは登録したい物品を撮像するとともに、登録ボタンをタッチしたり、登録という言葉を発声するようにすればよい。また、画像認識部による画像認識には、画像データの特徴点を、例えばＳＵＲＦ（Speeded Up Robust Features）やＳＩＦＴ（Scale Invariant Feature Transform）といった周知の特徴量検出アルゴリズムを用いればよい。
【００３４】
登録ユーザの項目には、この物品名を登録したユーザが登録される。基準画像の項目には、後述する検出部３１４が、装着型機器１０の撮像部１０１が撮像した画像の中に探索対象物が含まれるか否かを検出するときに使用する画像が格納される。履歴画像の項目には、装着型機器１０の撮像部１０１が撮像した画像が、撮像日時及び撮像位置の情報と共に時系列に格納される。
【００３５】
制御部３０２は、情報処理装置３０全体を統括的に制御する。制御部３０２は、ＣＰＵ、ＲＡＭ、ＲＯＭ等を備える。制御部３０２では、ＣＰＵがプログラムを実行することで、図１に示す情報蓄積部３１１、登録部３１２、決定部３１３、検出部３１４、及び報知部３１５として機能する。
【００３６】
情報蓄積部３１１は、通信部３０１が装着型機器１０から受信した画像を入力する。情報蓄積部３１１は、入力した画像のうち、探索対象物情報テーブルに登録されている物品を含む画像を、当該物品の履歴画像として記憶部３０３の探索対象物情報テーブル（図３参照）に記憶する。情報蓄積部３１１が実行する処理の詳細については後述する。
【００３７】
登録部３１２は、物品を記憶部３０３の探索対象物情報テーブルに登録する。
【００３８】
決定部３１３は、記憶部３０３に登録されている物品の中から、探索の対象となる物品、すなわち、探索対象物を決定し、検出部３１４に出力する。
【００３９】
検出部３１４は、決定部３１３が決定した探索対象物が、装着型機器１０の撮像部１０１が撮像した画像内に存在するか否かを検出し、検出結果を報知部３１５に出力する。
【００４０】
報知部３１５は、検出結果に基づいて、探索対象物に関する報知を行う。例えば、報知部３１５は、通信部３０１を介して、探索対象物の検出結果を装着型機器１０に送信する。報知部３１５から検出結果を受信した装着型機器１０の制御部１０９は、表示部１０２やスピーカ１０６等を用いて、ユーザに、探索対象物の情報を報知する。
【００４１】
（情報処理装置３０の処理）
次に、情報処理装置３０の制御部３０２が実行する処理について、図４のフローチャートを参照して説明する。本実施形態において、図４に示す処理は、ユーザが装着型機器１０の電源を入れ、装着型機器１０と情報処理装置３０との間で通信が成立すると開始される。
【００４２】
図４の処理では、まず、決定部３１３が、装着型機器１０から探索対象物の探索要求を受け付けたか否かを判断する（ステップＳ１０）。例えば、父親が装着型機器１０Ａのマイク１０４に向かって「探し物」と発音すると、装着型機器１０Ａから情報処理装置３０に探索対象物の探索要求が送信される。決定部３１３は、当該探索要求を装着型機器１０から受信すると、ステップＳ４０に移行する。なお、探索対象物の探索要求の送信は、例えば、ユーザによる操作部１０３に対する所定の動作（例えば、タップ）があった場合に行うこととしてもよい。
【００４３】
一方、決定部３１３が、装着型機器１０から探索対象物の探索要求を受け付けていない場合には、登録部３１２及び情報蓄積部３１１が、通信部３０１を介して、装着型機器１０から撮像部１０１が撮像した画像を入力する（ステップＳ１１）。このとき、情報蓄積部３１１は、装着型機器１０の位置検出部１０５が検出した位置情報も、装着型機器１０から受信する。なお、登録部３１２及び情報蓄積部３１１は、装着型機器１０Ａ，１０Ｂからそれぞれ画像を入力する。装着型機器１０Ａ，１０Ｂから画像を入力するタイミングは、同時であってもよいし、異なっていてもよい。
【００４４】
次に、登録部３１２は、前述の画像認識部を用いて、ステップＳ１１で入力した画像を解析し、当該画像においてユーザが物品を手にしているか否かを判断する（ステップＳ１３）。ここでの判断が否定された場合、情報蓄積部３１１はステップＳ２０の探索対象物情報蓄積処理を実行する。
【００４５】
一方、登録部３１２は、図５（Ａ）のような画像を解析した結果、ユーザが物品を手にしていると判断した場合（ステップＳ１３／ＹＥＳ）、ユーザが手にしている物品が、既に記憶部３０３の探索対象物情報テーブルに登録されているか否かを判断する（ステップＳ１５）。例えば、登録部３１２は、ステップＳ１１において、図５（Ａ）に示す画像を入力した場合、鍵Ｋ１０の画像を抽出し、抽出した鍵Ｋ１０の画像と、探索対象物情報テーブル（図３参照）の基準画像との間でパターンマッチングを行い、ユーザが手にしている鍵Ｋ１０が既に探索対象物情報テーブルに登録されているか否かを判断する。
【００４６】
ユーザが手にしている物品が既に探索対象物情報テーブルに登録されている場合（ステップＳ１５／ＹＥＳ）、情報蓄積部３１１はステップＳ２０の探索対象物情報蓄積処理を実行する。
【００４７】
一方、ユーザが手にしている物品が探索対象物情報テーブルに登録されていない場合（ステップＳ１５／ＮＯ）、登録部３１２は、ユーザが手にしている物品を探索対象物情報テーブルに登録する（ステップＳ１７）。例えば、図５（Ａ）に示すように、父親が使用する装着型機器１０Ａから入力した画像において、父親が鍵Ｋ１０を手にしていたとする。この場合、登録部３１２は、ステップＳ１３の処理で抽出した鍵Ｋ１０の画像を基準画像として探索対象物情報テーブルに登録するとともに、装着型機器１０Ａの使用者である父親を、登録ユーザの項目に登録する（図５（Ｃ）参照）。また、登録部３１２は、記憶部３０３に予め記憶されている各種物品のテンプレート画像と基準画像との間でマッチングを行い、抽出した画像の物品名を特定し、物品名の項目に登録する（図５（Ｃ）の例では、「鍵」）。なお、各物品のテンプレート画像には、各物品の名称が関連付けられているものとする。なお、このとき、登録部３１２は、図５（Ｂ）に示すように、前述の画像認識部を用いて、手に隠れた部分の画像を補間した画像を基準画像として登録してもよい。
【００４８】
ステップＳ１７の処理の終了後は、ステップＳ１０に戻る。なお、図４のフローチャートにおいては、ユーザが物品を手にしていることを条件に探索対象として登録したが、ユーザが物品を注視している場合に登録処理を実行するようにしてもよい。この場合、撮像部１０１による撮像時間が５秒以上続いたり、撮像部１０１で撮像された中で一番面積が大きい物品や、所定の大きさ（撮像領域の１/５以上の面積）を有した物品を探索対象として登録してもよい。また、ユーザが登録したい物品を撮像した後、登録ボタンをタッチすることにより、登録処理を実行するようにしてもよい。
【００４９】
（探索対象物情報蓄積処理）
次に、図４のステップＳ２０の探索対象物情報蓄積処理の詳細について、図６のフローチャートを参照して説明する。ユーザが探索対象として登録する物品は、ユーザがその置き場所を忘れがちなため、本フローチャートでは探索対象の物品の撮像履歴（撮像日時、撮像位置、撮像場所など）を更新するものである。なお、情報蓄積部３１１は、撮像履歴に変化がないことを認識した時点で本フローチャートを終了するようにしてもよい。
【００５０】
図６の処理では、情報蓄積部３１１は、図４のステップＳ１１において入力した画像に、探索対象物情報テーブルに登録されている物品が存在するか否かを判断する（ステップＳ２３）。例えば、情報蓄積部３１１は、探索対象物情報テーブルの基準画像の項目に登録されている基準画像と、入力した画像との間でパターンマッチングを行い、画像内に探索対象の物品が存在するか否かを判断する。ここでの判断が否定された場合、情報蓄積部３１１は、図６の全処理を終了し、図４のステップＳ１０に戻る。
【００５１】
一方、画像内に探索対象の物品が存在する場合（ステップＳ２３／ＹＥＳ）、情報蓄積部３１１は、図４のステップＳ１１で入力した画像を、当該画像が撮像された日時情報及び位置情報とともに、例えば、ＲＡＭに一次記憶する（ステップＳ２５）。
【００５２】
次に、情報蓄積部３１１は、再び、装着型機器１０から画像を入力し（ステップＳ２７）、ステップＳ２３と同様に、入力した画像に探索対象の物品が存在するか否かを判断する（ステップＳ２９）。探索対象の物品が存在する場合には、情報蓄積部３１１は、ステップＳ２５に戻り、ＲＡＭに一次記憶されている情報を、ステップＳ２７で入力した画像と、当該画像が撮像された日時情報及び位置情報とで上書きする。
【００５３】
一方、入力した画像に探索対象の物品が存在しない場合（ステップＳ２９／ＮＯ）、情報蓄積部３１１は、ＲＡＭに一次記憶されている画像を、探索対象物情報テーブルの履歴画像の項目に登録した後（ステップＳ３１）、図６の全処理を終了し、図４のステップＳ１０に戻る。例えば、図７（Ａ）に示すように、母親の装着型機器１０Ｂから入力した画像に、父親の探索対象の物品である鍵Ｋ１０が存在していたとする。この場合、情報蓄積部３１１は、装着型機器１０Ｂから入力した画像（図７（Ａ））を「鍵」の履歴画像の項目に、当該画像が撮像された日時情報及び位置情報と共に登録する。このように、探索対象物情報テーブルの履歴画像の項目には、登録ユーザ（例えば、父親）の装着型機器１０の撮像部１０１が撮像した画像に加えて登録ユーザとは異なるユーザ（例えば、母親）の装着型機器１０の撮像部１０１が探索対象の物品を撮像した場合にも、当該探索対象の物品が最後に撮像されたときの画像が履歴画像として登録される。
【００５４】
上述した処理により、各ユーザの装着型機器１０の撮像部１０１が撮像した探索対象物を含む画像のうち、ステップＳ２５〜Ｓ２９の処理が繰り返された最後に、ＲＡＭ等に一次記憶されていた画像が、履歴画像として記憶部３０３に記憶される。
【００５５】
（探索対象物検出処理）
次に、図４のステップＳ４０の探索対象物検出処理について、図８のフローチャートを参照しつつ詳細に説明する。以下の説明では、父親が鍵Ｋ１０を探す場合について説明する。
【００５６】
図８の処理において、まず、決定部３１３が、探索対象物情報テーブルから探索対象物を決定する（ステップＳ４１）。例えば、決定部３１３は、装着型機器１０Ａから探索対象物の探索要求を受け付けると、記憶部３０３に記憶された探索対象物情報テーブルにおいて、登録ユーザの項目に装着型機器１０Ａの使用者である“父親”が登録されている物品名の一覧、あるいは、基準画像の一覧を装着型機器１０Ａに送信する。なお、決定部３１３は、父親で登録された探索対象の物品がない場合には、母親で登録された探索対象の物品を参照するようにしてもよい。このように家族や、友人、特定のグループで登録された探索対象の物品を共有するようにしてもよい。装着型機器１０Ａの制御部１０９は、情報処理装置３０から受信した当該物品名の一覧を表示部１０２に表示する。そして、例えば、ユーザが操作部１０３を用いて探索対象物を選択すると、制御部１０９は、通信部１０８を介してユーザが選択した探索対象物の情報を情報処理装置３０に送信する。なお、ユーザが、装着型機器１０のマイク１０４に向かって探索対象の物品の名称「鍵」を発音することによって、探索対象物を指定してもよい。この場合、決定部３１３は、家の鍵や車の鍵など探索対象物情報テーブルに記憶されている鍵の情報を探索対象物として検出部３１４に出力する。
【００５７】
次に、検出部３１４が、装着型機器１０の撮像部１０１が現在撮像している画像を入力する（ステップＳ４３）。なお、このとき、検出部３１４は、装着型機器１０Ａ，１０Ｂからそれぞれ画像を入力する。装着型機器１０Ａ，１０Ｂから画像を入力するタイミングは、同時であってもよいし、異なっていてもよい。
【００５８】
続いて、検出部３１４は、ステップＳ４３で入力した画像内に、決定部３１３から入力した探索対象物が存在するか否かを判断する（ステップＳ４５）。例えば、検出部３１４は、ステップＳ４３で入力した画像と、鍵Ｋ１０の基準画像（図５（Ｂ）参照）との間でパターンマッチングを行い、撮像部１０１が撮像している画像内に、鍵Ｋ１０が存在するか否かを判断する。
【００５９】
ステップＳ４３で入力した画像内に探索対象物が存在する場合（ステップＳ４５／ＹＥＳ）、検出部３１４は、当該画像が、探索対象物の検出を依頼した依頼者（ここでは、父親）の装着型機器１０Ａから入力された画像であるか否かを判断する（ステップＳ４７）。
【００６０】
探索対象物が存在する画像が、探索対象物の検出を依頼した依頼者（ここでは、父親）の装着型機器１０Ａから入力された画像である場合（ステップＳ４７／ＹＥＳ）、報知部３１５は、当該画像内における探索対象物の位置を装着型機器１０Ａに通知する（ステップＳ４９）ことにより、探索対象物に関する報知を行う。探索対象物の位置を情報処理装置３０から受信した装着型機器１０Ａの制御部１０９は、表示部１０２に、撮像部１０１が現在撮像している画像を表示するとともに、探索対象物を示す情報（例えば、矢印や、マーカ等：図９（Ａ）のマーカ３３０参照）を表示する。なお、表示部１０２に、撮像部１０１が現在撮像している画像を表示せず、探索対象物を示す情報（マーカ３３０）を、ユーザの視界に重畳するように表示してもよい。これにより、装着型機器１０Ａのユーザ（父親）は、視界には入っているが見落としていた探索対象物に気づくことができる。
【００６１】
一方、探索対象物が存在する画像が、例えば、母親の装着型機器１０Ｂから入力された画像であった場合、ステップＳ４７の判断が否定される。この場合、報知部３１５が、探索対象物が存在する画像を入力した装着型機器１０を使用する他のユーザ（例えば、装着型機器１０Ｂを使用する母親）に、探索対象物に関する報知を行う（ステップＳ５１）。例えば、報知部３１５は、探索対象物（鍵）が存在する画像（図９（Ｂ）参照）が装着型機器１０Ｂから入力されたものである場合、父親が探索対象物（鍵）を探していること、及び、装着型機器１０Ｂの撮像部１０１が現在撮像する画像における探索対象物の位置を装着型機器１０Ｂに通知する。当該情報を受信した装着型機器１０Ｂの制御部１０９は、表示部１０２に探索対象物を示す情報（例えば、矢印や、マーカ等）を表示するとともに、父親が当該探索対象物を探していることを表示部１０２に表示したり、スピーカ１０６を用いて音声により母親に報知する。これにより、母親は、父親が鍵Ｋ１０を探していることを知ることができるとともに、自分の視界に入っている探索対象物（鍵Ｋ１０）を見つけて、父親に渡す等の対応をとることができる。
【００６２】
ところで、ステップＳ４３で入力した画像内に、探索対象物が存在しない場合（ステップＳ４５／ＮＯ）、検出部３１４はステップＳ４３の処理を開始してから所定時間（例えば、１０秒）が経過したか否かを判断する（ステップＳ５３）。
【００６３】
所定時間が経過していない場合、検出部３１４はステップＳ４３からの処理を再び実行するが、所定時間が経過した場合には、記憶部３０３に記憶されている探索対象物情報テーブルにおいて、探索対象物に対して履歴画像が登録されているか否かを判断する（ステップＳ５５）。
【００６４】
探索対象物に対して履歴画像が登録されている場合（ステップＳ５５／ＹＥＳ）、報知部３１５は、当該履歴画像の中で撮像日時が最も新しい画像を装着型機器１０Ａに送信する（ステップＳ５７）。装着型機器１０Ａの制御部１０９は、情報処理装置３０から受信した当該画像を表示部１０２に表示する。これにより、探索対象物（鍵Ｋ１０）が最後に存在した場所を父親に報知することができる。父親は、装着型機器１０のいずれかが最後に探索対象物（鍵Ｋ１０）を撮像した場所を知ることができ、探索対象物を探す場所を変えたりするなどの対応をとることができる。なお、このとき、報知部３１５は、探索対象物が最後に撮像されたときの位置情報（緯度、経度）を報知するようにしてもよい。これにより、ユーザが探索対象物をより見つけやすくなる。
【００６５】
一方、探索対象物に対して履歴画像が登録されていない場合（ステップＳ５５／ＮＯ）、報知部３１５は、探索対象物を検出できない旨を装着型機器１０Ａに通知する（ステップＳ５９）。
【００６６】
続いて、決定部３１３が、装着型機器１０Ａから探索対象物の検出を終了する指示があったか否かを判断する（ステップＳ６１）。例えば、装着型機器１０Ａの操作部１０３を用いて父親が探索対象物の検出を終了する指示を入力した場合、装着型機器１０Ａは探索対象物の検出を終了する指示を情報処理装置３０に送信する。決定部３１３は、当該指示を装着型機器１０Ａから受信すると、探索対象物の検出を終了する指示を受け付けたと判断して（ステップＳ６１／ＹＥＳ）、図８の全処理を終了し、図４のステップＳ１０に戻る。一方、当該指示を受信していない場合、検出部３１４が、ステップＳ４３からの処理を再び実行する。なお、図４の処理は、音声や操作部１０３の操作により所定のコマンドが入力されたタイミングや、装着型機器１０の電源がＯＦＦされたタイミングで強制終了される。なお、図８のフローチャートにおいて、ステップＳ４３に先立ってステップＳ５５を実施するなど各ステップの順番を変更してもよい。
【００６７】
以上、詳細に説明したように、本第１の実施形態によれば、情報処理装置３０は、ユーザに装着可能な装着型機器１０から画像を入力し、当該画像に探索対象物が存在するか否かを検出する検出部３１４と、探索対象物に関する報知を行なう報知部３１５と、を備えるので、ユーザが探索対象物を見落としていても、特に意識することなく、装着型機器１０から入力された画像に探索対象物が存在していれば、当該探索対象物の存在をユーザに報知することができる。
【００６８】
また、本第１の実施形態によれば、検出部３１４は、複数の装着型機器１０から画像を入力し、複数の装着型機器１０から入力した複数の画像から探索対象物を検出する。これにより、探索対象物を探しているユーザとは異なるユーザが装着する装着型機器１０により探索対象物が撮像された場合にも、探索対象物に関する報知を行うことができる。
【００６９】
また、本第１の実施形態によれば、報知部３１５は、探索対象物を探しているユーザとは異なるユーザが装着する装着型機器１０が現在撮像している画像内に探索対象物が存在する場合に、当該異なるユーザに探索対象物に関する報知を行なう。これにより、探索対象物を含む画像を撮像している装着型機器１０のユーザに対して、当該画像内に他のユーザの探索対象物が存在していることを報知することができる。
【００７０】
なお、上記第１の実施形態では、報知部３１５は、ユーザが指定した探索対象物に関する報知を行っていたが、探索対象物に関連した、探索対象物とは異なる物品の情報を報知してもよい。例えば、ユーザが指定した探索対象物が「鍵」であり、鍵が鞄にしまわれた画像が撮像されていたとする。この場合、決定部３１３は、当該画像に基づき、ユーザが指定した「鍵」ではなく「鞄」を探索対象物として決定し、検出部３１４は、装着型機器１０が撮像した画像内に鞄が存在するか否かを検出する。報知部３１５は、検出部３１４の検出結果に基づいて、鞄に関する情報（鞄の位置情報や、鞄が存在する画像）を装着型機器１０に送信する。装着型機器１０は、情報処理装置３０から受信した情報に基づいて、表示部１０２に鞄に関する情報を表示する。これにより、探索対象物（鍵）が他の物品（鞄）に隠れてしまったり、収納されてしまった場合にも、ユーザに探索対象物に関する情報を提供することができる。
【００７１】
なお、上記第１の実施形態においては、検出部３１４は、複数の装着型機器１０から画像を入力し、複数の画像から探索対象物を検出していたが、１つの装着型機器１０から入力された画像から探索対象物を検出してもよい。また、登録部３１２は、複数の装着型機器１０からの入力に基づいて探索対象の物品を登録していたが、１つの装着型機器１０からの入力に基づいて探索対象の物品を登録するようにしてもよい。また、上記第１の実施形態は、少なくとも１つの装着型機器１０と情報処理装置３０とから構成されるようにしてもよい。
【００７２】
また、上記第１の実施形態では、探索対象物情報テーブル（図３参照）の履歴画像の項目に画像が時系列に格納されていたが、常に最新の画像が格納されるようにしてもよい。また、例えば、各探索対象の物品に対して、所定数（例えば、１０）の履歴画像が格納された場合には、最も古い履歴画像を、最新の履歴画像で上書きするようにしてもよい（ＦＩＦＯ：First In, First Out）。なお、複数の履歴画像を格納する場合には、報知部３１５が、当該履歴画像を時系列に装着型装置１０の表示部１０２に表示させることで、探索対象物がどのような経緯で現在の位置に移動されたのかをユーザに報知してもよい。
【００７３】
なお、上記第１の実施形態において、上述した情報処理装置３０が備える機能を、装着型機器１０Ａ，１０Ｂのいずれかが備えていてもよい。この場合、例えば、装着型機器１０Ａは、ネットワーク５０を介して、探索対象物情報テーブルに登録する情報を装着型機器１０Ｂから受信したり、探索対象物に関する情報を装着型機器１０Ｂに送信すればよい。また、上述した情報処理装置３０が備える機能を、例えば、装着型機器１０Ａが有する場合、探索対象物情報テーブルに物品を登録し、探索対象物情報を蓄積し、探索対象物を検出する一連の処理を装着型機器１０Ａ単体で実施することができる。
【００７４】
《第２の実施形態》
次に、第２の実施形態について説明する。第２の実施形態は、装着型機器が第１の実施形態の情報処理装置３０の機能を備えるものである。
【００７５】
図１０は、第２の実施形態に係る情報処理システム５００Ｂの構成を例示するブロック図である。図１０に示すように、情報処理システム５００Ｂは、装着型機器１０Ｃと、物品側機器４０とを備える。
【００７６】
（物品側機器４０）
物品側機器４０は、ユーザが所持する物品等、探索対象物となりうる物品に取り付けられる。物品側機器４０は、記憶部４０１と、通信ユニット４０２と、を備える。
【００７７】
記憶部４０１は、例えば、不揮発性の半導体メモリであり、物品側機器４０が取り付けられた物品の物品名と、当該物品が画像内に存在するか否かを検出するときに使用される物品の基準画像とを記憶する。
【００７８】
通信ユニット４０２は、他の機器と通信を行うものであり、例えばＢｌｕｅｔｏｏｔｈ（登録商標）、ＲＦＩＤ(Radio Frequency Identification)、ＴｒａｎｓｆｅｒＪｅｔ（登録商標）などの近接通信や、人体を介した人体通信などを用いることができる。本実施形態では、通信ユニット４０２は、物品のユーザと接触する部分に設けられた電極部４０２Ｂと、当該電極部４０２Ｂを用いて人体通信を行う人体通信部４０２Ａと、を備える。本実施形態では、人体通信部４０２Ａは、ユーザが装着型機器１０Ｃを装着し、かつ、ユーザが物品側機器４０を備える物品を保持した状態で、装着型機器１０Ｃの人体通信部１１０Ａと通信し、記憶部４０１に記憶された、物品名及び物品の検出に用いられる基準画像を装着型機器１０Ｃに送信する。なお、人体通信には、人体に微弱な電流を流して、その電流を変調して情報を伝達する電流方式や、人体の表面に誘起する電界を変調して情報を伝達する電界方式などがある。本実施形態では、電流方式及び電界方式のいずれのタイプを用いることも可能である。なお、ユーザが素手である場合（すなわち、電極が手と接触している場合）はもちろん、手袋を着用している場合（すなわち、電極が手と対向している場合）でも、人体通信は可能である。
【００７９】
（装着型機器１０Ｃ）
装着型機器１０Ｃは、通信ユニット１１０を備える点、記憶部１０７が記憶する情報、及び、制御部１０９が備える機能が、第１の実施形態の装着型機器１０Ａ，１０Ｂと異なる。以下、装着型機器１０Ｃと装着型機器１０Ａ，１０Ｂとの相違点を中心に詳細に説明する。
【００８０】
通信ユニット１１０は、他の機器と通信を行うものであり、例えばＢｌｕｅｔｏｏｔｈ（登録商標）、ＲＦＩＤ、ＴｒａｎｓｆｅｒＪｅｔ（登録商標）などの近接通信や、人体を介した人体通信などを用いることができる。本実施形態では、通信ユニット１１０は、例えば、フレーム１２０のうちユーザと接触する部分（例えば、フレーム１２０のユーザ側）に設けられた電極部１１０Ｂと、当該電極部１１０Ｂを用いて人体通信を行う人体通信部１１０Ａと、を備える。本実施形態では、人体通信部１１０Ａは、ユーザが装着型機器１０Ｃを装着し、かつ、ユーザが物品側機器４０を備える物品を保持した状態で、物品側機器４０の人体通信部４０２Ａと通信し、物品側機器４０の記憶部４０１に記憶された、物品名及び基準画像を物品側機器４０から受信する。
【００８１】
記憶部１０７は、図３に示した探索対象物情報テーブルを記憶する。
【００８２】
制御部１０９は、ＣＰＵがプログラムを実行することで、図１０に示す情報蓄積部１１１、登録部１１２、決定部１１３、検出部１１４、及び報知部１１５として機能する。
【００８３】
情報蓄積部１１１は、探索対象物情報蓄積処理を実行し、撮像部１０１が撮像した画像のうち、探索対象の物品が含まれる画像を、履歴画像として探索対象物情報テーブルに登録する。なお、情報蓄積部１１１が実行する探索対象物情報蓄積処理は、撮像部１０１から画像を入力する点以外は、図６に示したフローチャートと同様の処理であるため、詳細な説明を省略する。
【００８４】
登録部１１２は、後述する探索対象登録処理を実行して、必要な情報を記憶部１０７に登録する。
【００８５】
決定部１１３、記憶部１０７に登録されている物品のうち、操作部１０３又はマイク１０４を用いてユーザにより指定された物品を、探索対象物として決定し、検出部１１４に出力する。
【００８６】
検出部１１４は、撮像部１０１が撮像した画像に決定部１１３により決定された探索対象物が存在するか否かを検出し、検出結果を報知部１１５に出力する。
【００８７】
報知部１１５は、表示部１０２又はスピーカ１０６を用いて、検出部１１４による検出結果に基づき、探索対象物に関する情報を報知する。例えば、報知部１１５は、撮像部１０１が現在撮像している画像（ライブビュー画像）とともに、探索対象物の存在を示す情報を表示部１０２に表示する。
【００８８】
（探索対象登録処理）
次に、登録部１１２が実行する探索対象登録処理について、図１１のフローチャートを参照して説明する。本実施形態において、探索対象登録処理は、ユーザが装着型機器１０Ｃの電源を入れると開始される。これに代えて、物品側機器４０との人体通信もしくは近接通信が成立したことにより装着型機器１０Ｃの電源が入り、探索対象登録処理が開始されるようにしてもよい。
【００８９】
図１１の処理では、まず、登録部１１２は、物品側機器４０との人体通信が成立しているか否かを判断する（ステップＳ１０１）。言い換えれば、登録部１１２は、ユーザが物品側機器４０を備えた物品を手に取ったか否かを判断する。これにより、ユーザが物品を手にしている画像が撮像部１０１により撮像されない場合でも、ユーザが手にした物品を登録することができる。物品側機器４０との人体通信が成立していない場合には（ステップＳ１０１／ＮＯ）、登録部１１２は、物品側機器４０との人体通信が成立するまでステップＳ１０１の判断を繰り返す。
【００９０】
一方、物品側機器４０との人体通信が成立した場合（ステップＳ１０１／ＹＥＳ）、登録部１１２は、通信ユニット１１０を介して、物品側機器４０の記憶部４０１に記憶されている物品名と基準画像とを物品側機器４０から受信する（ステップＳ１０３）。
【００９１】
続いて、登録部１１２は、図４のステップＳ１５と同様に、ステップＳ１０３で取得した物品の情報が、既に、探索対象物情報テーブル（図３参照）に登録されているか否かを判断する（ステップＳ１０５）。ここでの判断が肯定された場合、登録部１１２は、ステップＳ１０１に戻るが、否定された場合には、図４のステップＳ１７と同様に、ステップＳ１０３で取得した物品の情報を、探索対象物情報テーブル（図３参照）に登録する（ステップＳ１０７）。
【００９２】
以上の処理により、ユーザが手に取った物品が、自動的に記憶部１０７の探索対象物情報テーブルに登録される。
【００９３】
（探索対象物検出処理）
次に、制御部１０９が実行する探索対象物検出処理について図１２のフローチャートを用いて説明する。本実施形態において、装着型機器１０Ｃは、ユーザから操作部１０３やマイク１０４を介して探索対象物の探索要求を受け付けると、探索対象物検出処理を開始する。例えば、装着型機器１０Ｃのユーザである父親がマイク１０４に向かって「探し物」と発音すると、装着型機器１０Ｃは、探索対象物の探索要求を受け付けたと判断し、図１２の処理を開始する。
【００９４】
図１２の処理において、まず、制御部１０９が備える決定部１１３が、探索対象物を決定する（ステップＳ１４１）。例えば、決定部１１３は、操作部１０３又はスピーカ１０６を介して、ユーザから探索対象物の探索要求を受け付けると、記憶部１０７に記憶された探索対象物情報テーブルに登録されている物品名の一覧、あるいは、基準画像の一覧を表示部１０２に表示する。決定部１１３は、ユーザが探索対象物情報テーブルの一覧から、例えば、操作部１０３を用いて選択した物品を探索対象物として決定し、検出部１１４に出力する。
【００９５】
次に、検出部１１４が、撮像部１０１が現在撮像している画像を入力する（ステップＳ１４３）。
【００９６】
検出部１１４は、撮像部１０１が現在撮像している画像内に、決定部１１３から入力された探索対象物が存在するか否かを判断する（ステップＳ１４５）。ここでの判断が肯定された場合、報知部１１５は、撮像部１０１が現在撮像している画像内に探索対象物を示す情報（例えば、矢印や、マーカ等：図９（Ａ）のマーカ３３０参照）を付加して、表示部１０２に表示する（ステップＳ１４７）。これにより、装着型機器１０Ｃのユーザは、自分の視界には入っているが見落としている探索対象物に気づくことができる。
【００９７】
一方、撮像部１０１が現在撮像している画像内に、探索対象物が存在しない場合（ステップＳ１４５／ＮＯ）、検出部１１４はステップＳ１４３の処理を開始してから所定時間（例えば、１０秒）が経過したか否かを判断する（ステップＳ１４９）。
【００９８】
所定時間が経過してない場合には、検出部１１４はステップＳ１４３からの処理を再び実行するが、所定時間が経過した場合には、図８のステップＳ５５〜ステップＳ６１と同様に、ステップＳ１５１〜ステップＳ１５７の処理を実行する。そして、決定部１１３は、ユーザから探索対象物の検出を終了する指示を受け付けると（ステップＳ１５７／ＹＥＳ）、図１２の全処理を終了する。
【００９９】
以上、詳細に説明したように、本第２の実施形態によれば、装着型機器１０Ｃは、ユーザに装着可能であり、画像を撮像する撮像部１０１と、撮像部１０１が撮像した画像に、探索対象物が存在するか否かを検出する検出部１１４と、検出結果に応じて、探索対象物に関する報知を行なう報知部１１５と、を備えるので、ユーザが探索対象物を見落としていても、撮像部１０１が撮像した画像に探索対象物が存在していれば、当該探索対象物の存在をユーザに報知することができる。
【０１００】
また、本第２の実施形態によれば、装着型機器１０Ｃは、探索対象物となりうる物品を登録する登録部１１２を備え、登録部１１２は、物品側機器４０との人体通信により、ユーザが手にした物品を登録するので、ユーザに特別な操作を強いることなく、自動的に手にした物品を登録することができる。本第２の実施形態の登録方法を第１の実施形態に適用するようにしてもよい。
【０１０１】
また、報知部１１５は、撮像部１０１が現在撮像している画像に探索対象物が存在しない場合、撮像部１０１が過去に撮像した探索対象物が存在する画像の中から、最新の画像を表示部１０２に表示するため、ユーザは最後に探索対象物が撮像された画像を利用して、探索対象物を探す場所を変更する等の対応をとることが出来る。
【０１０２】
また、報知部１１５は、撮像部１０１が現在撮像している画像内に、探索対象物が存在する場合に、探索対象物の存在を示す情報を表示部１０２に表示するため、ユーザは自身の視界には入っているが見落としていた探索対象物の存在に気付くことが出来る。
【０１０３】
なお、上記第２の実施形態において、決定部１１３は、例えば、他の装着型機器１０と通信を行って、他のユーザが探している物品の情報（基準画像）を受信し、他のユーザが探している物品を、探索対象物として決定してもよい。この場合、検出部１１４が探索対象物を検出した場合に、報知部３１５は、探索対象物を探しているユーザとは異なる装着型機器１０Ｃのユーザに、他のユーザが探している物品が撮像部１０１が撮像する画像内に存在することを報知してもよい。
【０１０４】
なお、上記第２の実施形態において、登録部１１２は、第１の実施形態の登録部３１２と同様、撮像部１０１の撮像した画像に基づいた登録を行ってもよい。すなわち、ユーザが物品を手にしている場合に撮像部１０１による撮像を行って登録処理を行ってもよい。
【０１０５】
なお、上記各実施形態において、装着型機器１０Ａ〜１０Ｃは、眼鏡型の端末ではなくてもよい。例えば、体の任意の位置に装着可能な装着型端末であってもよく、その機能の一部が分離していてもよい。一例を挙げると、表示部を備えたコンタクトレンズ型の端末として、他の機能を腕時計型の端末に持たせるようにしてもよい。
【０１０６】
また、上記各実施形態においては、探索対象を自動で登録していたが、ユーザがマニュアルで登録してもよい。この場合、例えば、ユーザが探索対象として登録したい物品を撮像部１０１により撮像し、操作部１０３の操作により探索対象物情報テーブルに登録すればよい。また、多機能携帯（スマートフォン）や、タブレット型の端末により登録したい物品を撮像し、登録処理を行うようにしてもよい。
【０１０７】
また、上記各実施形態においては、探索対象として物品（例えば、鍵Ｋ１０）を登録していたが、探索対象は物品に限られるものではない。例えば、ホームページ上に掲載されている店舗の外観写真を探索対象として登録してもよい。この場合、制御部１０９は、撮像部１０１が撮像した画像に店舗が存在する場合に、ユーザに報知を行う。これにより、当該店舗がユーザの視界に入っているにもかかわらず、ユーザが見落としている場合に、ユーザは店舗の存在に気付くことができる。
【０１０８】
また、例えば、探索対象としてキーワード（テキスト情報）を登録してもよい。この場合、制御部１０９は、ユーザが見ている（読んでいる）紙媒体を撮像部１０１が撮像した画像をＯＣＲ処理し、当該画像の中にキーワード（例えば、キーワード「期日」）が存在するか否かを判断する。そして、制御部１０９は、画像の中にキーワードが存在していた場合に、キーワードを取り囲むマーカ３３０等を表示部１０２に表示することにより、ユーザにキーワードの存在を報知する（図１３参照）。これにより、ユーザは、自分が読んでいる文章の中にキーワードが存在するにも関わらず見落としている場合等において、当該キーワードの存在に気付くことができる。なお、制御部１０９は、紙媒体の中からキーワードを検出する場合に限らず、携帯型の端末の表示部に表示された画像内においてキーワードを検出したり、ユーザが見ている景色（例えば、案内表示板や、街中の看板など）からキーワードを検出したりすることもできる。
【０１０９】
また、上記各実施形態において、検出部３１４，１１４は、探索対象物を検出する場合に、探索対象物を検出する時間帯等に応じて基準画像を修正するようにしてもよい。例えば、店舗の外観写真を基準画像として登録した場合において、当該写真が日中に撮像されたものであり、店舗を検出する時間帯が夜間である場合、検出部３１４，１１４は、明るさ等を修正した基準画像を用いて、店舗を検出してもよい。
【０１１０】
また、上記各実施形態において、報知部３１５，１１５は、探索対象物に関する報知を、ユーザが探索対象物を見落としたと判断できるタイミングで行ってもよい。例えば、装着型機器１０の撮像部１０１が、探索対象物を含む画像を撮像し、その後、探索対象物を含まない画像を撮像した場合に、報知部３１５，１１５が報知を行うようにしてもよい。これにより、頻繁に報知が行われることによる、ユーザの煩わしさを低減することができる。
【０１１１】
なお、上記各実施形態では、制御部１０９が、表示部１０２に、探索対象物として、矢印や、マーカ等を表示する場合について説明したがこれに限られるものではない。例えば、装着型機器１０がユーザの視線の方向を検出可能な視線検出部を備えている場合には、制御部１０９は、視線検出部により検出されたユーザの視線の方向と、探索対象物の位置とに基づいて、ユーザの視線を誘導することとしてもよい。この場合、制御部１０９は、例えば、表示部１０２を用いて、ユーザの視線の方向にマークを表示し、当該マークを徐々に探索対象物の方向に移動させてもよい。また、制御部１０９は、スピーカ１０６を用いて“頭を動かさずに少し左側を見てください”などの音声を出力し、ユーザの視線を誘導することとしてもよい。
【０１１２】
なお、上記の処理機能は、コンピュータによって実現することができる。その場合、処理装置（ＣＰＵ）が有すべき機能の処理内容を記述したプログラムが提供される。そのプログラムをコンピュータで実行することにより、上記処理機能がコンピュータ上で実現される。処理内容を記述したプログラムは、コンピュータで読み取り可能な記録媒体（ただし、搬送波は除く）に記録しておくことができる。
【０１１３】
プログラムを流通させる場合には、例えば、そのプログラムが記録されたＤＶＤ（Digital Versatile Disc）、ＣＤ−ＲＯＭ（Compact Disc Read Only Memory）などの可搬型記録媒体の形態で販売される。また、プログラムをサーバコンピュータの記憶装置に格納しておき、ネットワークを介して、サーバコンピュータから他のコンピュータにそのプログラムを転送することもできる。
【０１１４】
プログラムを実行するコンピュータは、例えば、可搬型記録媒体に記録されたプログラムもしくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、サーバコンピュータからプログラムが転送されるごとに、逐次、受け取ったプログラムに従った処理を実行することもできる。
【０１１５】
上述した実施形態は本発明の好適な実施の例である。但し、これに限定されるものではなく、本発明の要旨を逸脱しない範囲内において種々変形実施可能である。
【符号の説明】
【０１１６】
１０Ａ，１０Ｂ，１０Ｃ  装着型機器
３０  情報処理装置
１０１  撮像部
１０２  表示部
１１２  登録部
１１３  決定部
１１４  検出部
１１５  報知部
３０１  通信部
３１３  決定部
３１４  検出部
３１５  報知部
【図１】
2015130631.tif 000003
【図２】
2015130631.tif 000004
【図３】
2015130631.tif 000005
【図４】
2015130631.tif 000006
【図５】
2015130631.tif 000007
【図６】
2015130631.tif 000008
【図７】
2015130631.tif 000009
【図８】
2015130631.tif 000010
【図９】
2015130631.tif 000011
【図１０】
2015130631.tif 000012
【図１１】
2015130631.tif 000013
【図１２】
2015130631.tif 000014
【図１３】
2015130631.tif 000015